(57)【特許請求の範囲】
【請求項１】
再生可能エネルギー発電設備の設置方法であって、以下のステップ：
（１）上面が開放又は開放可能であり、側面の少なくとも一部がネット及び／又はパンチングメタルで形成されている少なくとも一個の容器であって、前記再生可能エネルギー発電設備を安定的に固定する重石を収容するための前記容器を平置き又は掘り込んで設置しようとする場所を整地する、
（２）前記設置場所で前記容器を組み立て、あるいは前記設置場所に前記容器を搬入する、
（３）前記再生可能エネルギー発電設備を前記容器の外面に前記容器が前記再生可能エネルギー発電設備の荷重を支持できるように固定又は着脱自在に固定するための再生可能エネルギー発電設備固定手段を前記容器に固定する、
（４）前記容器内に前記重石を収容する、及び
（５）前記再生可能エネルギー発電設備を前記再生可能エネルギー発電設備固定手段に固定する、
を含む、前記設置方法。
【請求項２】
前記容器が解体可能又は折りたたみ式であることを特徴とする、請求項１に記載の設置方法。
【請求項３】
前記容器の少なくとも一の側面が、扉により開放可能であることを特徴とする、請求項１又は２に記載の設置方法。
【請求項４】
前記再生可能エネルギー発電設備が太陽光電池パネルであることを特徴とする、請求項１〜３のいずれかに記載の設置方法。
【請求項５】
前記再生可能エネルギー発電設備固定手段は、一枚又は複数枚の前記太陽光電池パネルを支持するためにアレイ状の組まれた支持ダクト、及び、該支持ダクトと前記容器とを結合するために容器上面から伸びる支柱を含むことを特徴とする、請求項４に記載の設置方法。
【請求項６】
前記再生可能エネルギー発電設備固定手段は、再生可能エネルギー発電設備の仰角を調整可能であることを特徴とする、請求項４又は５に記載の設置方法。
【請求項７】
ステップ（１）で、容器の高さの１／１０倍〜１倍だけ前記設置場所を掘り込むことを含む、請求項１〜６のいずれかに記載の設置方法。
【請求項８】
ステップ（４）に使用する前記重石が、土砂、土嚢、砕石、及び／又は瓦礫を含むことを特徴とする、請求項１〜７のいずれかに記載の設置方法。
【請求項９】
前記土砂及び／又は瓦礫は、ステップ（１）で前記設置場所を整地や堀り起こした際に発生するものを再利用することを特徴とする、請求項８に記載の使用方法。
【請求項１０】
再生可能エネルギー発電設備の支持構造であって、
上面が開放又は開放可能であり、側面の少なくとも一部がネット及び／又はパンチングメタルで形成されている少なくとも一個の容器であって、前記再生可能エネルギー発電設備を安定的に固定する重石を収容し、平置き又は掘り込んで設置される前記容器と、
前記再生可能エネルギー発電設備を前記容器の外面に前記容器が前記再生可能エネルギー発電設備の荷重を支持できるように固定又は着脱自在に固定するための再生可能エネルギー発電設備固定手段と、
を備える、前記支持構造。
【発明の詳細な説明】
【技術分野】
【０００１】
本発明は、再生可能エネルギー発電設備の設置方法に関し、より詳細には、前記装置の設置場所に制限なく、簡易かつ低コストで設置可能な方法に関する。
【背景技術】
【０００２】
再生可能自然エネルギー源（以下、再生可能エネルギーという）は、太陽光、風力、地熱、波力、潮力、潮汐等の自然の力で定常的に補充されるエネルギー資源であり、半永久的に利用可能である。再生可能エネルギーは、温室効果気体を排出せず、地球温暖化への対策として有効である。また、東日本大震災を契機に、原子力発電設備の安全性が問われている。そこで、産業に必要なエネルギー源を従来の火力（化石燃料）や原子力から再生可能エネルギーに移行させることが迅速に望まれている。再生可能自然エネルギーの普及を加速させるために、再生可能エネルギーから変換された電力を一定期間、固定価格で買い取る法律も施行されている。
【０００３】
再生可能エネルギーの製造設備は、小規模での設置が可能であり、移設、修理、廃棄、リサイクル等も容易であるといわれている。それでも、再生可能エネルギーの製造設備の地面や地盤への設置時には、以下のような問題点が存在する。
【０００４】
従来、太陽光電池装置の設置架台の底面四方に基礎用杭を取り付け、それを地下に深く埋め込込むことで、装置自体を地面や地盤に固定している（例えば特許文献１〜３）。基礎用杭の深さは、通常、３〜５ｍに達する。その深さに岩盤があると、杭を打つのが相当困難となるか、不可能となる。また、杭を打つためには、杭打機を用意する必要がある。山間地や傾斜地のような杭打機が進入できない場所では、設置を止めるか、杭打機の進入用の整地作業が必要となる。
【０００５】
再生可能エネルギー装置の足場の別の固定方法として、設置場所にコンクリート基礎を敷設し、平らなコンクリート基礎の要所にアンカーを打つことが行なわれている（例えば特許文献４）。この方法は、コンクリートの設置に大面積を要する。コンクリート面が傾いていると装置も傾いてしまうので、コンクリート面の平準化に高い精度が必要である。また、生コンクリートを敷いてから乾くまでに相当の時間を要する。
【先行技術文献】
【特許文献】
【０００６】
【特許文献１】特開２０１３−０６７９４８
【特許文献２】特開２０１４−０５８７９８
【特許文献３】特開２０１４−１０１６３５
【特許文献４】特開２０１２−０６４８６６
【発明の開示】
【発明が解決しようとする課題】
【０００７】
上記の従来の技術では、再生可能エネルギー発電設備の設置の場所の制限、設置作業の複雑さ、設置期間の長期化、設置コスト高、等の問題を解消できない。そこで、本発明は、再生可能エネルギー発電設備を、設置場所の制限なく、簡易かつ低コストで設置する方法を提供することにある。
【課題を解決するための手段】
【０００８】
本発明者は、上記課題を鋭意、検討した結果、以下の発明によれば課題を解決できることを見出した。すなわち、本発明は、再生可能エネルギー発電設備の設置方法であって、以下のステップ：
（１）上面が開放又は開放可能な少なくとも一個の容器を設置しようとする場所を整地する、
（２）前記設置場所で前記容器を組み立て、あるいは前記設置場所に前記容器を搬入する、
（３）再生可能エネルギー発電設備を前記容器の外面に固定又は着脱自在に固定する変換装置固定手段を前記容器に固定する、
（４）前記容器内に重石を収容する、及び
（５）前記再生可能エネルギー発電設備を前記変換装置固定手段に固定する、
を含む、前記設置方法を提供する。
【０００９】
前記容器は、解体可能又は折りたたみ式であってもよい。
【００１０】
前記容器の外面に、ネット及び／又はパンチングメタルが貼設されていることが好ましい。
【００１１】
前記容器の少なくとも一の側面は、扉により開放可能であることが好ましい。
【００１２】
本明細書において、再生可能エネルギーには、太陽光、風力、地熱の少なくとも一種が含まれる。
【００１３】
前記再生可能エネルギー源変換装置は、太陽光電池パネルであることが好ましい。
【００１４】
前記再生可能エネルギー源変換装置固定手段は、一枚又は複数枚の前記太陽光電池パネルを支持するために井桁状の組まれた支持ダクト、及び、該支持ダクトと前記容器とを結合するために容器上面から伸びる支柱を含むことが好ましい。
【００１５】
前記再生可能エネルギー源変換装置固定手段は、再生可能エネルギー源変換装置の仰角を調整可能であることが好ましい。
【００１６】
ステップ（１）で、容器の高さの１／１０倍〜１倍だけ整地場所を掘り込んでもよい。
【００１７】
ステップ（４）に使用する重石は、例えば土砂、土嚢、砕石、及び／又は瓦礫である。
【００１８】
前記土砂や瓦礫は、ステップ（１）で現場を整地や堀り起こした際に発生する土砂や瓦礫を再利用することが好ましい。
【００１９】
本発明は、また、再生可能エネルギー発電設備の支持構造であって、
上面が開放又は開放可能な少なくとも一個の容器と、
再生可能エネルギー発電設備を前記容器の外面に固定又は着脱自在に固定する変換装置固定手段と
を備え、前記容器内に重石を収容可能とすることを特徴とする、前記支持構造を提供する。
【発明の効果】
【００２０】
本発明の再生可能エネルギー発電設備の設置方法及びそれに使用する支持構造によれば、太陽光等の再生可能エネルギー源の変換装置を、所望の場所に簡易かつ低コストに設置可能とする。本発明の設置方法は、従来は設置困難であった、山間部、傾斜地、岩盤直上地、ゴミ埋め立て処理場、ゴルフ場等のような設置の困難な区域にも、再生可能エネルギー発電設備を設置可能とする。本発明の支持構造の設置に必要な面積は、設置場所以外ほとんど占有しないため、自然環境の破壊を最小限に抑えることができる。
【００２１】
本発明に使用する容器は解体可能又は折りたたみ式にできるので、平時は、支持構造の部材をストックしておき、地震等の災害発生で電源が消失した際に、電源の必要な場所に緊急に支持構造の部材を移動し、設置することも容易である。
【００２２】
本発明の設置方法において、容器内に収容する重石に、例えば土砂、土嚢、瓦礫、コンクリート塊、鋼材等の廃材を利用すると、簡易な作業と低コストで、再生可能エネルギー発電設備を現場に安定に設置することができる。特に、現場を整地し、さらに堀り起こした際に発生する土砂や瓦礫を重石に再利用することは、再生可能エネルギー発電設備の設置の作業労力及びコストの低減により一層効果を発揮する。
【００２３】
再生可能エネルギー発電設備の使用終了後、支持構造の養生又は解体が簡単である。解体後の部材は再利用でき、土砂等の重石は土に返すことができ、産業廃棄物を出さない。したがって、本発明の設置方法は、環境に優しい。
【図面の簡単な説明】
【００２４】
【図１Ａ】本発明の一実施形態に基づく支持構造１００を用いて、再生可能エネルギー発電設備（太陽光電池パネル）Ｘを地面に設置した状態の外観斜視図を示す。この実施態様では、支持構造１００は、一個の容器２００及び一個の固定手段３００で構成される。
【図１Ｂ】図１Ａに示した支持構造１００の外観斜視図を示す。
【図１Ｃ】図１Ａに示した支持構造１００の側面図を示す。
【図１Ｄ】図１Ａに示した支持構造１００の平面図を示す。
【図１Ｅ】図１Ａに示した支持構造１００正面図を示す。
【図１Ｆ】図１Ａに示した支持構造１００背面図を示す。
【図２Ａ】本発明の別の一実施形態に基づく支持構造１００を用いて、再生可能エネルギー発電設備（太陽光電池パネル）Ｘを、容器高さの１／２倍だけ地中に埋め込んだ状態の外観斜視図を示す。この実施態様では、支持構造１００は、二個の容器２００及び一個の固定手段３００で構成される。
【図２Ｂ】図２Ａに示した支持構造１００の側面図を示す。
【図２Ｃ】図２Ａに示した支持構造１００の平面図を示す。
【図２Ｄ】図２Ａに示した支持構造１００の正面図を示す。
【図２Ｅ】図２Ａに示した支持構造１００の背面図を示す。
【図３Ａ】本発明の支持構造に使用する容器２００の応用例を示す。この例では、容器２００の一側面の底辺にある骨材を支軸として、側面が扉２２２のように開閉自在である。また、容器の底面には、回転フォークリフトの爪を挿入可能なフォークガイド２３１が設けられている。
【図３Ｂ】本発明の支持構造に使用する容器２００の別の応用例を示す。この例では、扉２２２をその中央部で支軸を中心に二つ折り構造とし、扉２２２の上半分を折り畳むことができる。
【発明を実施するための形態】
【００２５】
本発明の再生可能エネルギー発電設備の設置方法は、以下のステップ：
（１）上面が開放又は開放可能な少なくとも一個の容器を設置しようとする地面を整地する、
（２）前記設置場所で前記容器を組み立て、あるいは前記設置場所に前記容器を搬入する、
（３）再生可能エネルギー発電設備を前記容器の外面に固定又は着脱自在に固定する変換装置固定手段を前記容器に固定する、
（４）前記容器内に重石を収容する、及び
（５）前記再生可能エネルギー発電設備を前記変換装置固定手段に固定する、
を含む。本発明の設置方法の実施形態を、添付の図面を用いて、ステップ順に説明する。
【００２６】
ステップ（１）として、前記容器２００を設置しようとする場所の地面Ｚを整地する。容器２００の設置場所は、容器２００の設置面積を確保できる限り、特に制限されない。山間部、傾斜地、岩盤直上地、ゴミ埋め立て処理場、ゴルフ場等のような従来、設置困難であった区域にも、本発明の設置方法によれば再生可能エネルギー発電設備Ｘの設置が可能となる。
【００２７】
前記容器２００を設置場所に平置きする場合、設置場所の地面Ｚをショベルカーやスコップで整地する。地面の起伏は削り、一方、低地や窪地には、砕石や土を盛って平準化する。
【００２８】
容器２００の設置の安定度を増大させるために、設置箇所を掘り込んでもよい。掘り込む深さは、通常、容器の高さの１／１０倍〜１倍である。
【００２９】
ステップ（２）として、前記設置場所で、容器２００を組み立て、あるいは設置場所に容器２００を搬入する。図１Ａの実施形態では、容器２００を地面に平置きしている。図２Ａに示す別の実施形態では、容器２００を容器の１／２倍だけ地中に埋め込むように設置している。
【００３０】
容器２００は、それに再生可能エネルギー発電設備Ｘが固定された後、現場の地面Ｚに安定的に固定するために、重石Ｙを収容可能とする。そのために、容器２００の形状は、通常、箱型又は円筒型であり得、好ましくは箱型である。
【００３１】
容器２００の内容積は、支持する太陽光電池パネル等の再生可能エネルギー発電設備Ｘの重量、面積や形状に依存する。一個の容器２００の内容積は、通常、０．５〜５ｍ３でよく、好ましくは１〜３ｍ３、特に好ましくは１〜２ｍ３である。
【００３２】
容器２００の形状は、箱型の場合、横、縦及び高さの外寸法で、それぞれ、１００〜２５０ｃｍ、５０〜１５０ｃｍ、及び５０〜１５０ｃｍである。
【００３３】
容器２００は、再生可能エネルギー発電設備Ｘを設置した後の形態を保つのに必要な強度を持つ金属製骨材を適宜の形状に組み溶接することで形成される。骨材の断面形状は、無垢、Ｌ型、Ｈ型等である。骨材の材質は、通常、鉄である。鉄の錆や腐食を防止するために、心材の表面に亜鉛＋鉄合金層等からなるメッキ層を塗布してもよい。
【００３４】
容器２００の上面２１０は、重石Ｙの投入ルートとして、通常、開放されている。あるいは、開閉可能な蓋（図示せず）を設置することにより、開放可能であってもよい。上面２１０を開放可能であると、容器２００内への重石Ｙの搬入操作（例えばパワーショベルを使用する）が容易となる。また、容器２００の上面２１０を蓋で養生できると、設置後に雨水の進入を避けるのに都合がよい。
【００３５】
容器２００の側面を開放可能とすることもできる。このようにしても、重石Ｙの容器２００への搬入と搬出（例えばスコップによる）が容易となる。開放の仕方は、特に制限されない。図３Ａのように、容器２００の一側面の底辺にある骨材を支軸として、側面を扉２２２のように開閉自在とする。また、図３Ｂのように、扉２２２をその中央部で支軸を中心に二つ折り構造とし、扉２２２の上半分を折り畳めるようにしてもよい。
【００３６】
容器２００の底面は、通常、平滑であり、無垢の鉄板あるいはパンチングメタル製である。
【００３７】
容器２００の重量は、特に制限されないが、その搬入、移動、位置調整等を容易にするために、４人程度の人数で運べる程度とすることが好ましい。よって、容器２００の重量は、通常、５０〜１５０ｋｇである。
【００３８】
容器２００の強度を保持しながら軽量化を図るために、側面２２０の一部をパンチングメタル、鋼製やプラスチック製のネット２２１等で形成することが好ましい。ネット２２１の孔径は、側面から土砂や瓦礫がこぼれ落ちない程度の大きさである。孔径は、通常、１〜１０ｍｍ、好ましくは２〜５ｍｍである。
【００３９】
本発明の設置方法では、平時は、支持構造１００の部材をストックしておき、地震等の災害発生で電源が消失した場合に緊急に電源必要箇所へ移動及び設置することが容易である。緊急時等に一時的に使用する場合、容器２００の不使用時の収納場所を極力専有しないように、容器２００を解体可能又は折り畳み式とすることもできる。
【００４０】
容器２００は、適宜、付属品を備える。例えば、容器２００の底面２３０に、フォークリフトの爪を挿入可能なフォークガイド２３１を設ける。こうすると、重量のある容器２００の移動が容易である。また、再生可能エネルギー発電設備Ｘの使用終了後に、回転フォークリフトが爪をフォークガイド２３１に挿入して容器ごと横転させることで、容器内の重石Ｙの排出も容易になる。
【００４１】
容器の底面２３０に、ジャッキ式や油圧式で昇降可能なキャスター（図示せず）を設置してもよい。容器２００の位置や角度を調整する際にジャッキ等でキャスターを接地させとともに容器２００を浮かせ、調整後はキャスターを浮かせて容器２００を接地させる。
【００４２】
本発明の容器２００同士を２個以上連設してもよい。連設は、単に並べるだけでもよく、さらに適宜の結合手段（例えばフック、留め金等）で容器同士を固定してもよい。
【００４３】
ステップ（３）として、再生可能エネルギー発電設備Ｘの固定手段３００を、容器２００の外面に固定又は着脱自在に固定する。なお、予め、別の場所で容器２００を組み立て、さらに変換装置固定手段３００をセットしたものを、設置場所へ搬入してもよい。
【００４４】
一個の固定手段３００を、少なくとも一個、好ましくは二〜三個、特に好ましくは二個の容器２００と結合する。一実施形態（図１Ａ〜図１Ｆ）では、一個の容器に一個の固定手段３００が固定されている。もう一つの実施形態（図２Ａ〜図２Ｅ）では、一の固定手段２００の両端で二個の容器２００で支持する。こうすると、支持構造の荷重分散、地震等での容器の滑動や転倒の防止を図る上で有利である。
【００４５】
固定手段３００の構造は、再生可能エネルギー発電設備Ｘを容器２００の外面、好ましくは上面２１０に固定できるものであれば、特に制限されない。以下に、固定手段の一実施態様を、太陽光電池パネルの例を用いて説明する。
【００４６】
固定手段３００は、複数枚の太陽光電池パネルＸを支持するためにアレイ状の組まれた支持ダクト３１０を備える。一の固定手段３００は、通常、横１〜５段、縦１〜５段のアレイを有する。支持ダクトの各アレイ３１１が、１枚以上の太陽光電池パネルＸを支持する。
【００４７】
固定手段３００は、さらに、支持ダクト３１０と容器２００と結合するために容器の上面２１０から伸びる支柱を備える。図１Ａ〜Ｆに示す実施形態では、支柱３２０は、後方側の上面２１０から直立する後方支柱３２２からなる。図２Ａ〜Ｅに示す別の実施形態では、支柱３２０は、容器２００の前方側の上面２１０から直立する前方支柱３２１と、後方側の上面２１０から直立する後方支柱３２２とからなる。
【００４８】
太陽光パネル電池パネルＸに太陽光線が当たる角度は、季節によって変化する。前方支柱３２１及び／又は後方支柱３２２の長さが調整自在であると、太陽光のパネルへの入射角度をきめ細かく調整できるようになる。仰角の範囲は、通常、５〜４５度でよく、好ましくは１０〜３０度、特に好ましくは１０〜２０度である。
【００４９】
太陽光電池パネルＸ及び支持ダクト３１０の全荷重が、支柱３２０にかかる。支柱３２０にかかる負担を緩和するために、支持ダクト３１０と支柱３２０の根元との間に斜材３３０で結ぶことにより、支柱３２０を補助してもよい。図２Ａ〜２Ｅの実施形態では、前方斜材３３１や後方斜材３３２を設けている。
【００５０】
固定手段３００の安定度を増すために、隣り合う支柱同士を結合するブレース材（筋交い材）を追加してもよい。図１Ａ〜１Ｆに示す実施形態では、後方ブレース材３４２が、隣り合う後方支柱３２２同士をたすき状に結合する。また、図２Ａ〜２Ｅの別の実施形態では、前方ブレース材３４１が、隣り合う前方支柱３２１同士をたすき状に結合し、そして、後方ブレース材３４２が、隣り合う後方支柱３２２同士をたすき状に結合する。
【００５１】
なお、固定手段３００と容器２００との固定するステップ（３）を、後述するステップ（４）の重石を投入するステップの後に行ってもよい。
【００５２】
ステップ（４）として、パワーショベルやスコップで重石Ｙを容器２００内に投入する。重石Ｙは、例えば土砂、土嚢、砕石、道路舗装材（カタマ等）、瓦礫、コンクリート塊、鋼材等の廃材である。使用後に重石Ｙを土に返すという点で、好ましくは土砂、土嚢、及び／又は瓦礫である。現場を整地や掘り起こした際に発生する土砂を重石Ｙに再利用することは、発生残土の処理が要らなくなる点で有利である。
【００５３】
容器２００内に充填する重石の量は、容器２００の上に固定される再生可能エネルギー発電設備の重量や容器を設置場所に掘り込んで入れる等の設置態様に応じて決まる。一個の容器２００を地面に平置きする場合、容器内の充填量は、通常、容器高さの１／３倍〜１倍であり、好ましくは１／２倍〜１倍である。容器２００を地中に埋め込む場合の重石の容器内の充填高さは、地面よりも上にする。
【００５４】
ステップ（５）として、前記変換装置固定手段２１０に、再生可能エネルギー発電設備Ｘを固定する。エネルギー源が太陽光の場合、発電設備は、太陽光電池パネル及びケーブル等の付属品を含む。その場合、太陽光電池パネルＸを固定手段のアレイ３１１に嵌め込み、ケーブルを図示しない蓄電池へ接続する。エネルギー源が風力の場合は、発電設備は、風車、モーター、及びケーブル等の付属品を含む。
【００５５】
再生可能エネルギー発電設備Ｘの使用を終えた場合等、本発明の支持構造を撤去したい時は、上記ステップ（１）〜（５）を逆にたどればよい。本発明の設置方法は、設備全体の解体が極めて簡単である。解体後の部材は、将来、再利用できる。また、土砂等の重石Ｙは、土に返すことができる。したがって、本発明の設置方法は、産業廃棄物を出さない点で環境にも優しい。
【００５６】
本発明は、また、上記再生可能エネルギー発電設備の設置方法に使用する再生可能エネルギー発電設備の支持構造１００もまた提供する。この支持構造１００は、
上面が開放又は開放可能な容器２００と、
前記容器の外面に固定又は着脱自在に固定される再生可能エネルギー源変換装置固定手段３００と、
を備え、前記容器内に重石Ｙを収容可能とすることを特徴とする。各部材の構成及び特徴は、設置方法で述べたとおりである。
【実施例】
【００５７】
本発明の設置方法のフィールドテストを行なった。以下に示す仕様の支持構造及び再生可能エネルギー発電設備を屋外の空き地に平置きした。
容器形状：幅１７０ｃｍ×奥行き１００ｃｍ×高さ８３ｃｍ
容器重量：８０ｋｇ
固定手段重量：５０ｋｇ
重石：現地発生土、砕石、又はカタマ（道路舗装材）
重石充填量：容器高さの１／２倍、又は約１倍
再生可能エネルギー発電設備：太陽光電池パネル（１枚１６０ｃｍ×１００ｃｍ）の４段２列、重量１６０ｋｇ
パネル仰角（傾斜角度）：１０度
【００５８】
上記太陽光電池パネルを設置した容器の摩擦係数を実測したところ、０．５５前後であった。この支持構造を、約２月間、経過観察した。期間中、２度の台風（雨量１５２ｍｍ、最大瞬間風速２３．２ｍ、及び雨量９６ｍｍ、最大瞬間風速２０．２ｍ）が通過したが、支持構造に全く影響がなかった。
【符号の説明】
【００５９】
１００  支持構造
２００  容器
２１０  上面
２２０  側面
２２１  ネット
２２２  扉
２３０  底面
２３１  フォークガイド
３００  再生可能エネルギー発電設備固定手段
３１０  支持ダクト
３１１  アレイ
３２０  支柱
３２１  前方支柱
３２２  後方支柱
３３０  斜材
３３１  前方斜材
３３２  後方斜材
３４０  ブレース材
３４１  前方ブレース材
３４２  後方ブレース材
Ｘ  太陽光電池パネル（再生可能エネルギー発電設備）
Ｙ  土砂（重石）
Ｚ  地面
【要約】
【課題】太陽光電池パネル等の再生可能エネルギー発電設備の設置場所の制限なく、簡易かつ低コストに設置する装置及びその使用方法を提供する。
【解決手段】本発明の再生可能エネルギー発電設備の設置方法は、ステップ：（１）上面が開放又は開放可能な少なくとも一個の容器を設置しようとする地面を整地する、（２）前記設置場所で前記容器を組み立て、あるいは前記設置場所に前記容器を搬入する、（３）再生可能エネルギー発電設備を前記容器の外面に固定又は着脱自在に固定する変換装置固定手段を前記容器に固定する、（４）前記容器内に重石を収容する、及び（５）前記再生可能エネルギー発電設備を前記変換装置固定手段に固定するを含む。
【選択図】図１Ａ【図１Ａ】
0005722495.tif 000002
【図１Ｂ】
0005722495.tif 000003
【図１Ｃ】
0005722495.tif 000004
【図１Ｄ】
0005722495.tif 000005
【図１Ｅ】
0005722495.tif 000006
【図１Ｆ】
0005722495.tif 000007
【図２Ａ】
0005722495.tif 000008
【図２Ｂ】
0005722495.tif 000009
【図２Ｃ】
0005722495.tif 000010
【図２Ｄ】
0005722495.tif 000011
【図２Ｅ】
0005722495.tif 000012
【図３Ａ】
0005722495.tif 000013
【図３Ｂ】
0005722495.tif 000014